【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
第１のユーザと第２のユーザに対して提示されたコンテンツであるコンテンツに関する情報と、コンテンツの提示時刻とを含むコンテンツ情報を記憶しているコンテンツ情報記憶部と、
前記コンテンツ情報記憶部に記憶されているコンテンツの中から、前記第１のユーザが検索装置で行った情報検索の検索結果に関連するコンテンツである検索起点コンテンツに関する情報である検索起点情報を取得する検索起点コンテンツ情報取得部と、
前記コンテンツ情報記憶部に記憶されているコンテンツ情報に基づいて、前記第２のユーザが前記検索起点コンテンツを想起可能な度合いを推定する想起度合い推定部と、
前記想起度合いが所定の閾値条件を満たさないときに、前記提示装置への表示が要求された前記検索結果である共有検索結果に前記検索起点情報を付与したデータを、前記提示装置に送信する送信部と
を備える関連情報付与装置。
【請求項２】
前記想起度合い推定部は、前記共有検索結果を得るための検索を開始した時刻である検索起点時刻と、前記共有検索結果の前記提示装置への提示が要求された時刻である提示要求時刻との差分から推定される人の記憶の保持率に基づいて、当該保持率が小さいほど小さくなる前記想起度合いを推定する
請求項１記載の関連情報付与装置。
【請求項３】
前記想起度合い推定部は、前記コンテンツ情報記憶部を参照することにより、前記共有検索結果を得るための検索を開始した時刻である検索起点時刻から、前記共有検索結果の前記提示装置への提示が要求された時刻である提示要求時刻までのコンテンツの内容の変化に基づいて、前記想起度合いを推定する
請求項１記載の関連情報付与装置。
【請求項４】
前記想起度合い推定部は、前記コンテンツ情報記憶部を参照することにより、前記検索起点時刻に前記提示装置に提示されていたコンテンツと前記提示要求時刻に提示されていたコンテンツとの類似性が高いほど大きくなる前記想起度合いを推定する
請求項３記載の関連情報付与装置。
【請求項５】
前記想起度合い推定部は、前記コンテンツ情報記憶部を参照することにより、前記検索起点時刻に前記提示装置に提示されていたコンテンツのシーンと前記提示要求時刻に提示されていたコンテンツのシーンとの類似性が高いほど大きくなる前記想起度合いを推定する
請求項３記載の関連情報付与装置。
【請求項６】
前記想起度合い推定部は、前記コンテンツ情報記憶部を参照することにより、前記検索起点時刻から前記提示要求時刻までの間にザッピングが行われているほど大きくなる前記想起度合いを推定する
請求項３記載の関連情報付与装置。
【請求項７】
前記想起度合い推定部は、前記コンテンツ情報記憶部を参照することにより、前記検索起点時刻に前記提示装置に提示されていたコンテンツの提示態様に基づいて、前記想起度合いを推定する
請求項１記載の関連情報付与装置。
【請求項８】
前記想起度合い推定部は、前記コンテンツ情報記憶部を参照することにより、前記検索起点時刻に前記提示装置に提示されていたコンテンツの表示時間が短いほど小さくなる前記想起度合いを推定する
請求項７記載の関連情報付与装置。
【請求項９】
前記想起度合い推定部は、前記コンテンツ情報記憶部を参照することにより、前記検索起点時刻に前記提示装置に提示されていたコンテンツが、ザッピングが行われていた途中に提示されたコンテンツである場合には、前記検索起点時刻に前記提示装置に提示されていたコンテンツの表示時間が同じ他のコンテンツがあるときでも、前記ザッピングが行われていた途中に提示されたコンテンツの想起度合いを、より小さく推定する
請求項７記載の関連情報付与装置。
【請求項１０】
さらに、
前記関連情報付与装置を用いて情報検索を行う検索者の興味を示す興味情報を記憶している興味情報記憶部と、
前記共有検索結果を得るための情報検索を行った検索者を識別するための検索者識別部とを備え、
前記想起度合い推定部は、前記共有検索結果と前記検索者の興味情報とが類似しているほど小さくなる前記想起度合いを推定する
請求項１記載の関連情報付与装置。
【請求項１１】
さらに、
前記提示装置の利用者の興味を示す興味情報を記憶している興味情報記憶部と、
前記共有検索結果を得るための情報検索を行った検索者を識別するための検索者識別部とを備え、
前記想起度合い推定部は、前記共有検索結果と前記検索者とは異なる前記利用者の興味情報とが類似しているほど大きくなる前記想起度合いを推定する
請求項１記載の関連情報付与装置。
【請求項１２】
さらに、
前記関連情報付与装置を用いて情報検索を行う検索者の興味を示す興味情報を記憶している興味情報記憶部と、
前記共有検索結果を得るための情報検索を行った検索者を識別するための検索者識別部とを備え、
前記想起度合い推定部は、前記共有検索結果と前記検索者の興味情報とが類似しているほど、かつ当該検索者の興味情報に関連する検索結果が前記提示装置に送信されていないほど小さくなる前記想起度合いを推定する
請求項１記載の関連情報付与装置。
【請求項１３】
前記送信部は、前記想起度合いに応じて、前記共有検索結果に付与する前記検索起点情報の量または付与方法を変更する
請求項１〜１２のいずれか１項に記載の関連情報付与装置。
【請求項１４】
コンピュータによる関連情報付与方法であって、
前記コンピュータは、第１のユーザと第２のユーザに対して提示されたコンテンツであるコンテンツに関する情報と、コンテンツの提示時刻とを含むコンテンツ情報とを記憶しており、
前記関連情報付与方法は、
記憶されているコンテンツの中から、前記第１のユーザが検索装置で行った情報検索の検索結果に関連するコンテンツである検索起点コンテンツに関する情報である検索起点情報を取得し、
記憶されているコンテンツ情報に基づいて、前記第２のユーザが前記検索起点コンテンツを想起可能な度合いを推定し、
前記想起度合いが所定の閾値条件を満たさないときに、前記提示装置への表示が要求された前記検索結果である共有検索結果に前記検索起点情報を付与したデータを、前記提示装置に送信する
関連情報付与方法。
【請求項１５】
コンピュータに、
第１のユーザと第２のユーザに対して提示されたコンテンツの中から、第１のユーザが検索装置で行った情報検索の検索結果に関連するコンテンツである検索起点コンテンツに関する情報である検索起点情報を取得する取得ステップと、
前記第１のユーザと前記第２のユーザに対して提示されたコンテンツであるコンテンツに関する情報と、コンテンツの提示時刻とを含むコンテンツ情報に基づいて、前記第２のユーザが前記検索起点コンテンツを想起可能な度合いを推定する推定ステップと、
前記想起度合いが所定の閾値条件を満たさないときに、前記提示装置への表示が要求された前記検索結果である共有検索結果に前記検索起点情報を付与したデータを、前記提示装置に送信する送信ステップと
を実行させるための
プログラム。
【請求項１６】
第１のユーザと第２のユーザに対して提示されたコンテンツであるコンテンツに関する情報と、コンテンツの提示時刻とを含むコンテンツ情報を記憶しているコンテンツ情報記憶部と、
前記コンテンツ情報記憶部に記憶されているコンテンツの中から、前記第１のユーザが検索装置で行った情報検索の検索結果に関連するコンテンツである検索起点コンテンツに関する情報である検索起点情報を取得する検索起点コンテンツ情報取得部と、
前記コンテンツ情報記憶部に記憶されているコンテンツ情報に基づいて、前記第２のユーザが前記検索起点コンテンツを想起可能な度合いを推定する想起度合い推定部と、
を備える、装置。
【請求項１７】
コンピュータに、
第１のユーザと第２のユーザに対して提示されたコンテンツの中から、第１のユーザが検索装置で行った情報検索の検索結果に関連するコンテンツである検索起点コンテンツに関する情報である検索起点情報を取得する検索起点コンテンツ情報取得ステップと、
前記第１のユーザと前記第２のユーザに対して提示されたコンテンツであるコンテンツに関する情報と、コンテンツの提示時刻とを含むコンテンツ情報に基づいて、前記第２のユーザが前記検索起点コンテンツを想起可能な度合いを推定する想起度合い推定ステップと、
を実行させるための
プログラム。
【手続補正２】
【補正対象書類名】明細書
【補正対象項目名】０００８
【補正方法】変更
【補正の内容】
【０００８】
上記課題を解決するために、本発明に係る関連情報付与装置は、第１のユーザと第２のユーザに対して提示されたコンテンツであるコンテンツに関する情報と、コンテンツの提示時刻とを含むコンテンツ情報を記憶しているコンテンツ情報記憶部と、前記コンテンツ情報記憶部に記憶されているコンテンツの中から、前記第１のユーザが検索装置で行った情報検索の検索結果に関連するコンテンツである検索起点コンテンツに関する情報である検索起点情報を取得する検索起点コンテンツ情報取得部と、前記コンテンツ情報記憶部に記憶されているコンテンツ情報に基づいて、前記第２のユーザが前記検索起点コンテンツを想起可能な度合いを推定する想起度合い推定部と、前記想起度合いが所定の閾値条件を満たさないときに、前記提示装置への表示が要求された前記検索結果である共有検索結果に前記検索起点情報を付与したデータを、前記提示装置に送信する送信部とを備える。